(57)【特許請求の範囲】
【請求項１】
開口部を有した筐体と、
前記筐体内に収容された指紋認証ユニットと、
前記筐体内に設けられ、指紋認証ユニットを支持した支持部材と
を備え、
前記指紋認証ユニットは、
前記開口部から露出したセンサ面と、前記センサ面とは反対側に複数の電極を有した電極面と、を有した指紋認証センサ部と、
半田ボールを介して前記電極と電気的に接続したセンサ搭載面を有した基板とを有し、
前記支持部材は、前記基板を覆って前記指紋認証ユニットを弾性的に支持することを特徴とする電子機器。
【請求項２】
前記筐体は、前記開口部を有する第１の筐体部材と、この第１の筐体部材と連設した第２の筐体部材とを備え、
前記支持部材は、前記第１の筐体部材に取り付けられて前記指紋認証ユニットを支持することを特徴とする請求項１に記載の電子機器。
【請求項３】
前記支持部材は、前記第１の筐体部材に取り付けられる固定部と、前記指紋認証ユニットを搭載する支持部と、前記固定部と前記支持部とを連結する板バネ部とを有することを特徴とする請求項２に記載の電子機器。
【請求項４】
前記支持部材は、前記第１の筐体部材に取り付けられる固定部と、前記指紋認証ユニットを搭載する支持部と、一端を前記固定部に固定されて他端で前記支持部を支持するバネ部とを有することを特徴とする請求項２に記載の電子機器。
【請求項５】
前記筐体は、前記開口部を有する第１の筐体部材と、第２の筐体部材とを備え、
前記支持部材は、前記第２の筐体部材に取り付けられて前記指紋認証ユニットを支持することを特徴とする請求項１に記載の電子機器。
【請求項６】
前記支持部材は、前記第２の筐体部材に取り付けられる固定部と、前記指紋認証ユニットを搭載する支持部と、前記固定部と前記支持部との間で両者を弾性的に支持するバネ部とを有することを特徴とする請求項５に記載の電子機器。
【請求項７】
前記筐体は、前記第１の筐体部材の表面から筐体内部方向へ落ち込んで形成された窪部を有し、前記開口部は前記窪部に形成されることを特徴とする請求項３、４、又は６のいずれか１項に記載の電子機器。
【請求項８】
前記筐体は、前記筐体内に固定された主基板を更に備え、
前記指紋認証ユニットと前記主基板とはケーブルで電気的に接続されていることを特徴とする請求項７に記載の電子機器。
【発明の詳細な説明】
【技術分野】
【０００１】
本発明は、電子機器に関する。
【背景技術】
【０００２】
従来、半田ボールを用いて実装される指紋センサとセンサ搭載基板との間に緩衝材を設けて半田ボール接合部の不良を防ぐ電子機器が知られている（例えば、特許文献１参照）。
【０００３】
この電子機器は、指紋読取面を有する半導体チップが搭載された指紋センサと、指紋センサがマトリックス状に配置された半田ボールによって実装されるセンサ搭載基板と、センサ搭載基板の半田ボールがマトリックス状に配置される領域の周囲に設けられた緩衝材としての接着剤とを有し、指紋認証動作時に指等によって加えられた応力によりセンサ搭載基板が変形した場合に、接着剤が緩衝材として機能し、指紋センサとセンサ搭載基板との間隔を接着剤の高さ以下になることを防ぐため、半田ボールに大きな応力がかからず半田ボール接合部の不良を防ぐことができる。
【特許文献１】特開２００７−５９８１１号公報
【発明の開示】
【発明が解決しようとする課題】
【０００４】
しかし、従来の電子機器によると、指等によって加えられた応力に対して接着剤が緩衝材として機能し、半田ボール接合部の不良を防ぐことはできるが、指紋センサ及びセンサ搭載基板に応力がかかり、指紋センサ又はセンサ搭載基板の不良を防ぐことはできず、必ずしも電子機器の信頼性が向上するとは言えない。
【０００５】
従って、本発明の目的は、指紋センサ、センサ搭載基板、及び半田ボールの不良を防止することができる電子機器を提供することにある。
【課題を解決するための手段】
【０００６】
（１）本発明は上記目的を達成するため、開口部を有した筐体と、前記筐体内に収容された指紋認証ユニットと、前記筐体内に設けられ、指紋認証ユニットを支持した支持部材とを備え、前記指紋認証ユニットは、前記開口部から露出したセンサ面と、前記センサ面とは反対側に複数の電極を有した電極面と、を有した指紋認証センサ部と、半田ボールを介して前記電極と電気的に接続したセンサ搭載面を有した基板とを有し、前記支持部材は、前記基板を覆って前記指紋認証ユニットを弾性的に支持することを特徴とする電子機器を提供する。
【０００７】
上記した構成によれば、支持部材が弾性変形することにより、利用者の指からセンサ面に加わる力の方向に指紋認証ユニットが沈み込んでセンサ面に加わる力を分散するため、指紋認証ユニットに対して過度の応力が加わえられることを防ぎ、半田ボール接合部等に不良が生じることを防止することができる。
【発明の効果】
【０００８】
本発明によれば、指紋センサ、センサ搭載基板、及び半田ボールの不良を防止することができる。
【発明を実施するための最良の形態】
【０００９】
以下に、本発明の電子機器の実施の形態を、図面を参照して詳細に説明する。
【００１０】
〔第１の実施の形態〕
（電子機器の構成）
図１は、本発明の第１の実施の形態に係る電子機器の外観を示す概略図である。
【００１１】
この電子機器１００は、上部筐体１０と下部筐体２０とから構成され、上部筐体１０と下部筐体２０とはヒンジ部により開閉自在に接続されている。下部筐体２０は、ＣＰＵ（Ｃｅｎｔｒａｌ  Ｐｒｏｃｅｓｓｉｎｇ  Ｕｎｉｔ）やメモリ等の電子部品を実装するとともにＨＤＤ（Ｈａｒｄ  Ｄｉｓｃ  Ｄｒｉｖｅ）等をコネクタを介して接続するシステム基板であって情報を処理する本体機能部２を内部に有し、文字やコマンドを入力するためのキーボード等の文字入力部３と、ポインティングデバイスとしてのトラックパッド４Ａ及び決定スイッチ４Ｂと、利用者の認証等に用いる指紋読取部５とを上面２０ａに有する。
【００１２】
また、下部筐体２０の形成面としての左側面２０ｅ、右側面２０ｆ、前面２０ｇ、及び背面２０ｈに図示しないＵＳＢ（Ｕｎｉｖｅｒｓａｌ  Ｓｅｒｉａｌ  Ｂｕｓ）ポートやＬＡＮ（Ｌｏｃａｌ  Ａｒｅａ  Ｎｅｔｗｏｒｋ）ポート等のコネクタ端子を備える。また、下部筐体２０は、主に上面２０ａを含むカバー２０Ａ（第１の筐体部材）と、主に底面２０ｂを含むベース２０Ｂ（第２の筐体部材）とを備え、カバー２０Ａとベース２０Ｂとは左側面２０ｅ、右側面２０ｆ、前面２０ｇ、及び背面２０ｈにおいて嵌合して連設され、下部筐体２０の内部空間を形成する。上部筐体１０は、文字や画像等を表示する液晶表示パネル等からなる画像表示部１を前面２０ｉに有する。
【００１３】
本体機能部２は、例えば、電子機器１００を起動する際、利用者が電子機器１００の利用を許可された人物か否かを確認する認証操作を要求する。この認証操作によって指紋読取部５が使用され、本体機能部２が利用を許可された人物の指紋を読み取ったと判断した場合にのみ電子機器１００を起動する。
【００１４】
（指紋読取部の構成）
図２は、本発明の第１の実施の形態に係る電子機器の指紋認証ユニットの構成を示す概略図であり、図２（ａ）は平面図、図２（ｂ）は、図２（ａ）のＡ−Ａ部における断面図である。
【００１５】
この指紋認証ユニット５Ａは、半導体を用いて形成される指紋センサ５０と、ガラスエポキシ板等の板材を用いて形成されるセンサ搭載基板５１と、指紋センサ５０とセンサ搭載基板５１とを電気的に接続する半田ボール５２とを有し、下部筐体２０内に収容されて指紋読取部５に配置される。
【００１６】
指紋センサ５０は、センサ面５０ａにおいて指紋の凹凸を静電容量の差で検出し、図２（ａ）の図面縦方向に指を移動させることで２次元的にスキャンするラインセンサ５０ｂと、指紋センサ５０のセンサ面５０ａの裏面である電極面５０ｅに設けられるパッド５０ｄとを有し、ラインセンサ５０ｂとパッド５０ｄ以外は樹脂にて封止している。また、パッド５０ｄは、センサ搭載基板５１のセンサ搭載面５１ｂに設けられるパッド５１ａと半田ボール５２で接続される。また、指紋検出の際に指を滑らせるセンサ面５０ａは、ラインセンサ５０ｂと、ラインセンサ５０ｂの両端に位置し同一面にある樹脂面５０ｃとを含む。
【００１７】
センサ搭載基板５１は、本体機能部２と図示しないコネクタケーブル等で電気的に接続されており、指紋センサ５０によって検出された指紋に関する情報は本体機能部２によって処理される。また、指紋認証ユニット５Ａは、センサ搭載基板５１の被支持面５１ｃを支持されることで配置される。
【００１８】
図３は、本発明の第１の実施の形態に係る電子機器の指紋読取部の構成を示す斜視図である。
【００１９】
指紋認証ユニット５Ａは、下部筐体２０のカバー２０Ａの上面２０ａに設けられた窪部２１の開口部２１ｅからセンサ面５０ａが露出するように支持される。窪部２１は、傾斜することで指を上面２０ａから連続的にセンサ面５０ａに導く斜面２１ａ及び斜面２１ｂと、指を滑らせる方向をラインセンサ５０ｂに対して直交するように導く側面２１ｃ及び側面２１ｄと、露出するセンサ面５０ａと略同一形状を有する開口部２１ｅとを有する。
【００２０】
（センサ支持部材の構成）
図４は、本発明の第１の実施の形態に係る電子機器のセンサ支持部材の構成を示す斜視図であり、図４（ａ）は上面の裏側からの斜視図、図４（ｂ）は上面側からの一部断面斜視図である。
【００２１】
指紋認証ユニット５Ａは、カバー２０Ａの裏面である上裏面２０ｃに取り付けられたセンサ支持部材６によって、センサ搭載基板５１の被支持面５１ｃを覆うとともに、一定の支持力で窪部裏面２１Ａに対して押しつけて、センサ面５０ａが開口部２１ｅから外部に露出するようにに支持される。センサ支持部材６は、例えば、ＳＵＳ等の金属を用いて形成されており、センサ搭載基板５１の裏面と両面テープ等により固定される支持部６０と、支持部６０を弾性的に支持するバネ部６１と、上裏面２０ｃに設けられたネジ固定部６４に対して固定ネジ６３によって孔６２ａを介して取り付けられる固定部６２とを有する。なお、本実施の形態においてバネ部６１及び固定部６２を４つ設けた構成としたが、単数であっても複数であってもよい。
【００２２】
（動作）
以下に、本発明の第１の実施の形態における電子機器の動作を各図を参照しつつ説明する。
【００２３】
画像表示部１の正面に向かった状態において、利用者が奥から手前側に向かい指紋読取部５上を下部筐体２０の窪部２１に沿って指を接触させ、なぞるように滑らせることで、ラインセンサ５０ｂは２次元の指紋像を読み取る。実際には、ラインセンサ５０ｂは、指紋の凹凸によって生じる静電容量の変化を読み取り、電気的信号に変換し出力する。出力信号は本体機能部２において処理され、指紋認証が行われる。指紋認証は、予め利用者の任意の指の指紋を読み取らせて記憶されてあるものと照合することにより実行される。
【００２４】
指紋読取部５上で指を滑らせる場合、指は下部筐体２０に設けられた窪部２１によりセンサ面５０ａの中央を通過するよう導かれる。また、指紋読取動作を確実にするためにある程度の力で指を押し当てながら指を通過させる必要がある。このため、センサ面５０ａの中央部を押し下げるような力が働く。
【００２５】
図５は、本発明の第１の実施の形態に係る電子機器の指紋読取部の構成を示す断面図であり、図５（ａ）は通常時の状態、図５（ｂ）は指紋認証動作時の状態を示す。この断面図は、図３のＢ−Ｂ部における断面である。
【００２６】
指紋センサ５０のセンサ面５０ａは、図５（ａ）に示すように、開口部２１ｅから高さａだけ露出して支持される。利用者が指を窪部２１に沿ってセンサ面５０ａに押しつけるように滑らせると、バネ部６１は、上裏面２０ｃから離れる方向に変形し、図５（ｂ）に示すように、最大でセンサ面５０ａが開口部２１ｅと一致するまで弾性変形する。センサ面５０ａが開口部２１ｅと一致すると、斜面２１ａ又は２１ｂに指の力が加わり、センサ支持部材６の支持力以上に利用者の指からセンサ面５０ａに対して力が加わらない。
【００２７】
（第１の実施の形態の効果）
上記した第１の実施の形態によると、バネ部６１が弾性変形することにより、利用者の指からセンサ面５０ａに加わる力の方向に指紋認証ユニット５Ａが沈み込んで指紋センサ５０、センサ搭載基板５１、及び半田ボール５２に加わる力を分散するため、指紋センサ５０、センサ搭載基板５１、半田ボール５２、及びそれぞれの接触部に対して過度の応力が加わえられることを防ぎ、指紋センサ５０、センサ搭載基板５１、半田ボール５２、及びそれぞれの接触部に不良が生じることを防止することができる。
【００２８】
また、バネ部６１の弾性力により指紋センサ５０を開口部２１ｅに対して一定の支持力で押し当てるため、センサ面５０ａを確実に露出させることができ、センサ面５０ａの露出する高さに関して取り付け精度を容易に達成することができる。
【００２９】
また、支持部６０は、センサ搭載基板５１に密着して固定されるため、センサ搭載基板５１の応力に対する耐久性を向上させる補強板としての機能を兼ねることができる。
【００３０】
また、指紋読取部５は、上面２０ａに限らず、底面２０ｂ、左側面２０ｅ、右側面２０ｆ、前面２０ｇ、背面２０ｈ、又は前面２０ｉに設ける構成としてもよい。
【００３１】
〔第２の実施の形態〕
図６は、本発明の第２の実施の形態に係る電子機器のセンサ支持部材の構成を示す斜視図である。なお、以下の説明において、第１の実施の形態と同一の構成および機能を有する部分については共通の符号を付している。
【００３２】
指紋認証ユニット５Ａは、カバー２０Ａの上裏面２０ｃに取り付けられたセンサ支持部材６Ａによって、センサ搭載基板５１の被支持面５１ｃを一定の支持力で窪部裏面２１Ａに対して押し付けて、センサ面５０ａが開口部２１ｅから外部に露出するように支持される。センサ支持部材６Ａは、例えば、ＳＵＳ等の金属を用いて形成されており、センサ搭載基板５１の裏面と両面テープ等により固定される支持部６０Ａと、支持部６０Ａを弾性的に支持するバネ部６１Ａとを有し、上裏面２０ｃに設けられたネジ固定部６４Ａに対して固定ネジ６３Ａによって孔６２Ａを介して取り付けられる。
【００３３】
図７は、本発明の第２の実施の形態に係る電子機器の指紋読取部の構成を示す断面図であり、図７（ａ）は通常時の状態、図７（ｂ）は指紋認証動作時の状態を示す。この断面図は、図６のＣ−Ｃ部における断面である。
【００３４】
固定ネジ６３Ａは、フランジ状に設けられるバネ受部６３０を有し、上裏面２０ｃに設けられるネジ固定部６４Ａのネジ固定部６４ａにネジ固定される。この固定ネジ６３Ａは、バネ受部６３０によってバネ部６１Ａを支持することで、指紋センサ５０のセンサ面５０ａは、図７（ａ）に示すように、開口部２１ｅから高さａだけ露出して支持される。
【００３５】
（動作）
利用者が指を窪部２１に沿ってセンサ面５０ａに押しつけるように滑らせると、バネ部６１Ａは、収縮して変形し、図７（ｂ）に示すように、最大でセンサ面５０ａが開口部２１ｅと一致するまで弾性変形し、センサ支持部材６Ａとバネ受部６３０との間でバネ部６１Ａが収縮しきることで変形を停止する。センサ面５０ａが開口部２１ｅと一致すると、センサ支持部材６Ａの支持力以上に利用者の指からセンサ面５０ａに対して力が加わらない。
【００３６】
（第２の実施の形態の効果）
上記した第２の実施の形態によると、第１の実施の形態の効果に加え、センサ支持部材６Ａをより小型に構成することができるため、より小型の電子機器に本構成を適用することができる。
【００３７】
〔第３の実施の形態〕
図８は、本発明の第３の実施の形態に係る電子機器のセンサ支持部材の構成を示す斜視図である。
【００３８】
指紋認証ユニット５Ａは、カバー２０Ａの上裏面２０ｃに取り付けられたセンサ支持部材６Ｂによって、センサ搭載基板５１の被支持面５１ｃを一定の支持力で窪部裏面２１Ａに対して押しつけて、センサ面５０ａが開口部２１ｅから外部に露出するように支持される。センサ支持部材６Ｂは、例えば、ＳＵＳ等の金属を用いて形成されており、センサ搭載基板５１の裏面と両面テープ等により固定される支持部６０Ｂと、支持部６０Ｂを弾性的に支持するバネ部６１Ｂとを有し、上裏面２０ｃに設けられたネジ固定部６４Ｂに対して固定ネジ６３Ｂによって孔６２Ｂを介して取り付けられる。
【００３９】
図９は、本発明の第３の実施の形態に係る電子機器の指紋読取部の構成を示す断面図であり、図９（ａ）は通常時の状態、図９（ｂ）及び（ｃ）は指紋認証動作時の状態を示す。この断面図は、図８のＤ−Ｄ部における断面である。
【００４０】
固定ネジ６３Ｂは、フランジ状に設けられるバネ受部６３０を有し、上裏面２０ｃに設けられるネジ固定部６４Ｂのネジ固定部６４ｂにネジ固定される。この固定ネジ６３Ｂは、バネ受部６３０によってバネ部６１Ｂを支持することで、指紋センサ５０のセンサ面５０ａは、図９（ａ）に示すように、開口部２１ｅから高さａだけ露出して支持される。
【００４１】
（動作）
利用者が指を窪部２１に沿って押しつけるように滑らせて、センサ面５０ａの図面右側を押さえ始めると、バネ部６１Ｂは、図９（ｂ）に示すように、収縮して変形し、指がセンサ面５０ａの図面左側を押さえ始めると、センサ支持部材６Ｂが左下がりの状態になり、センサ支持部材６Ｂがバネ受部６３０及びネジ固定部６４Ｂにその表面及び裏面で接することで変形を停止する。指が押さえる箇所（力点）がセンサ面５０ａの図面左側になるほど、支点としてのバネ部６１Ｂからの距離が大きくなるためバネ部６１Ｂを容易に変形させる。
【００４２】
（第３の実施の形態の効果）
上記した第３の実施の形態によると、第２の実施の形態の効果に加え、センサ支持部材６Ｂのカバー２０Ａに対する支持点を少なく構成することができるため、より小型の電子機器に本構成を適用することができる。また、指の動きに従ってセンサ支持部材６Ｂの位置や姿勢が徐々に変化していくため、指紋認証ユニット５Ａに急激に力が加わることがない。
【００４３】
〔第４の実施の形態〕
図１０は、本発明の第４の実施の形態に係る電子機器のセンサ支持部材の構成を示す斜視図である。
【００４４】
指紋認証ユニット５Ａは、ベース２０Ｂの裏面である底裏面２０ｄに取り付けられたセンサ支持部材６Ｃによって、センサ搭載基板５１の被支持面５１ｃを一定の支持力でカバー２０Ａの窪部裏面２１Ａに対して押しつけて、センサ面５０ａが開口部２１ｅから外部に露出するように支持される。センサ支持部材６Ｃは、例えば、ＳＵＳ等の金属を用いて形成されており、センサ搭載基板５１の裏面と両面テープ等により固定される支持部６０Ｃと、底裏面２０ｄに設けられたバネ支持部６３Ｃに取り付けられて支持部６０Ｃを弾性的に支持するバネ部６１Ｃと、底裏面２０ｄに設けられてセンサ支持部材６Ｃの底裏面に近づく方向の動きを制限する動作制限部６５とを有する。なお、本実施の形態においてバネ部６１Ｃを２つ設けた構成としたが、単数であっても複数であってもよい。また、動作制限部６５とバネ支持部６３Ｃとを一体として構成してもよい。
【００４５】
図１１は、本発明の第４の実施の形態に係る電子機器の指紋読取部の構成を示す断面図であり、図１１（ａ）は通常時の状態、図１１（ｂ）は指紋認証動作時の状態を示す。この断面図は、図１０のＥ方向からの視点における断面である。
【００４６】
指紋センサ５０のセンサ面５０ａは、図１１（ａ）に示すように、開口部２１ｅから高さａだけ露出して支持される。
【００４７】
（動作）
利用者が指を窪部２１に沿ってセンサ面５０ａに押しつけるように滑らせると、バネ部６１は、図面下方向に変形し、図１１（ｂ）に示すように、最大でセンサ面５０ａが開口部２１ｅと一致するまで弾性変形する。センサ面５０ａが開口部２１ｅと一致すると、支持部６０Ｃと動作制限部６５とが接し、それより下に移動しない。また、センサ面５０ａが開口部２１ｅと一致すると、センサ支持部材６Ｃの支持力以上に利用者の指からセンサ面５０ａに対して力が加わらない。
【００４８】
（第４の実施の形態の効果）
上記した第４の実施の形態によると、第２の実施の形態の効果に加え、センサ支持部材６Ｃをカバー２０Ａに固定できない場合にも本発明を適用することができる。
【図面の簡単な説明】
【００４９】
【図１】本発明の第１の実施の形態に係る電子機器の外観を示す概略図である。
【図２】本発明の第１の実施の形態に係る電子機器の指紋認証ユニットの構成を示す概略図であり、（ａ）は平面図、（ｂ）は、（ａ）のＡ−Ａ部における断面図である。
【図３】本発明の第１の実施の形態に係る電子機器の指紋読取部の構成を示す斜視図である。
【図４】本発明の第１の実施の形態に係る電子機器のセンサ支持部材の構成を示す斜視図であり、（ａ）は上面の裏側からの斜視図、（ｂ）は上面側からの一部断面斜視図である。
【図５】、本発明の第１の実施の形態に係る電子機器の指紋読取部の構成を示す断面図であり、（ａ）は通常時の状態、（ｂ）は指紋認証動作時の状態を示す。
【図６】本発明の第２の実施の形態に係る電子機器のセンサ支持部材の構成を示す斜視図である。
【図７】本発明の第２の実施の形態に係る電子機器の指紋読取部の構成を示す断面図であり、（ａ）は通常時の状態、（ｂ）は指紋認証動作時の状態を示す。
【図８】本発明の第３の実施の形態に係る電子機器のセンサ支持部材の構成を示す斜視図である。
【図９】本発明の第３の実施の形態に係る電子機器の指紋読取部の構成を示す断面図であり、（ａ）は通常時の状態、（ｂ）及び（ｃ）は指紋認証動作時の状態を示す。
【図１０】本発明の第４の実施の形態に係る電子機器のセンサ支持部材の構成を示す斜視図である。
【図１１】本発明の第４の実施の形態に係る電子機器の指紋読取部の構成を示す断面図であり、（ａ）は通常時の状態、（ｂ）は指紋認証動作時の状態を示す。
【符号の説明】
【００５０】
１…画像表示部、２…本体機能部、３…文字入力部、４Ａ…トラックパッド、４Ｂ…決定スイッチ、５…指紋読取部、５Ａ…指紋認証ユニット、６…センサ支持部材、６Ａ…センサ支持部材、６Ｂ…センサ支持部材、６Ｃ…センサ支持部材、１０…上部筐体、２０…下部筐体、２０Ａ…カバー、２０Ｂ…ベース、２０ａ…上面、２０ｂ…底面、２０ｃ…上裏面、２０ｄ…底裏面、２０ｅ…左側面、２０ｆ…右側面、２０ｇ…前面、２０ｈ…背面、２０ｉ…前面、２１…窪部、２１Ａ…窪部裏面、２１ａ…斜面、２１ｂ…斜面、２１ｃ…側面、２１ｄ…側面、２１ｅ…開口部、５０…指紋センサ、５０ａ…センサ面、５０ｂ…ラインセンサ、５０ｃ…樹脂面、５０ｄ…パッド、５０ｅ…電極面、５１…センサ搭載基板、５１ａ…パッド、５１ｂ…センサ搭載面、５１ｃ…被支持面、５２…半田ボール、６０…支持部、６０Ａ…支持部、６０Ｂ…支持部、６０Ｃ…支持部、６１…バネ部、６１Ａ…バネ部、６１Ｂ…バネ部、６１Ｃ…バネ部、６２…固定部、６２ａ…孔、６２Ａ…孔、６２Ｂ…孔、６３Ｃ…バネ支持部、６３…固定ネジ、６３Ａ…固定ネジ、６３Ｂ…固定ネジ、６４…ネジ固定部、６４Ａ…ネジ固定部、６４Ｂ…ネジ固定部、６４ａ…ネジ穴、６４ｂ…ネジ穴、６５…動作制限部、１００…電子機器、６３０…バネ受部
【図１】
0005150376.tif 000002
【図２】
0005150376.tif 000003
【図３】
0005150376.tif 000004
【図４】
0005150376.tif 000005
【図５】
0005150376.tif 000006
【図６】
0005150376.tif 000007
【図７】
0005150376.tif 000008
【図８】
0005150376.tif 000009
【図９】
0005150376.tif 000010
【図１０】
0005150376.tif 000011
【図１１】
0005150376.tif 000012